【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
嵌合部材を受け入れるためのレセプタクルであって、
通常使用時に、前記嵌合部材と接触するように成形された第１の部分と、
通常使用時に、前記嵌合部材と接触しないように成形された第２の部分とを備え、
前記第１の部分は、非球面を備えることを特徴とするレセプタクル。
【請求項２】
前記第１の部分は、球面をさらに備えることを特徴とする請求項１に記載のレセプタクル。
【請求項３】
嵌合部材を受け入れるためのレセプタクルであって、
通常使用時に、前記嵌合部材と接触するように成形された第１の部分と、
通常使用時に、前記嵌合部材と接触しないように成形された第２の部分とを備え、
前記第１の部分は、非対称表面を備えることを特徴とするレセプタクル。
【請求項４】
前記第１の部分は、対称面をさらに備えることを特徴とする請求項３に記載のレセプタクル。
【請求項５】
嵌合部材を受け入れるためのレセプタクルであって、
通常使用時に、前記嵌合部材と接触するように成形された第１の部分と、
通常使用時に、前記嵌合部材と接触しないように成形された第２の部分とを備え、
前記第１の部分および前記第２の部分の表面は、不連続であることを特徴とするレセプタクル。
【請求項６】
レセプタクルによって受け入れられるようにした嵌合部材であって、
通常使用時に、前記レセプタクルと接触するように成形された第１の部分と、
通常使用時に、前記レセプタクルと接触しないように成形された第２の部分とを備え、
前記第１の部分は、非球面を備えることを特徴とする嵌合部材。
【請求項７】
前記第１の部分は、球面をさらに備えることを特徴とする請求項６に記載の嵌合部材。
【請求項８】
レセプタクルによって受け入れられるようにした嵌合部材であって、
通常使用時に、前記レセプタクルと接触するように成形された第１の部分と、
通常使用時に、前記レセプタクルと接触しないように成形された第２の部分とを備え、
前記第１の部分は、非対称表面を備えることを特徴とする嵌合部材。
【請求項９】
前記第１の部分は、対称面をさらに備えることを特徴とする請求項８に記載の嵌合部材。
【請求項１０】
レセプタクルによって受け入れられるようにした嵌合部材であって、
通常使用時に、前記レセプタクルと接触するように成形された第１の部分と、
通常使用時に、前記レセプタクルと接触しないように成形された第２の部分とを備え、
前記第１の部分および前記第２の部分の表面は、不連続であることを特徴とする嵌合部材。
【請求項１１】
嵌合部材を受け入れるためのレセプタクルであって、不等辺三角形または長楕円によって画成される嵌合面を備えることを特徴とするレセプタクル。
【請求項１２】
上にある第１の部分と、下にある第２の部分とを有するカップの形態のレセプタクルであって、前記第１の部分および第２の部分は、異なる半径値を有することを特徴とするレセプタクル。
【請求項１３】
前記第２の部分に対する前記第１の部分の半径値は、比Ｒ１／Ｒ２で与えられ、Ｒ１／Ｒ２は、０．９９５３１０から０．９９９９９９までの範囲内であることを特徴とする請求項１２に記載のレセプタクル。
【請求項１４】
Ｒ１／Ｒ２は、０．９９６６０３から０．９９９１９９までの範囲内であることを特徴とする請求項１３に記載のレセプタクル。
【請求項１５】
Ｒ１とＲ２の中心は、Ｘ１が１７８から４１６の範囲内にあるものとして前記カップの面に沿った方向に距離Ｘ１だけ隔てられることを特徴とする請求項１３または１４に記載のレセプタクル。
【請求項１６】
Ｘ１は、２０８から３１２までの範囲内であることを特徴とする請求項１５に記載のレセプタクル。
【請求項１７】
Ｒ１とＲ２の前記中心は、Ｚ１が１５６から３１２の範囲内にあるものとして前記カップの軸に沿った方向に距離Ｚ１だけ隔てられることを特徴とする請求項１３から１６のいずれか一項に記載のレセプタクル。
【請求項１８】
Ｚ１は、１７８から２５０までの範囲内であることを特徴とする請求項１７に記載のレセプタクル。
【請求項１９】
前記レセプタクルは、カップであることを特徴とする請求項１から１８のいずれか一項に記載のレセプタクルまたは嵌合部材。
【請求項２０】
前記レセプタクルは、部分的半球であることを特徴とする請求項１から１９のいずれか一項に記載のレセプタクルまたは嵌合部材。
【請求項２１】
前記レセプタクルは、挿入物であることを特徴とする請求項１から２０のいずれか一項に記載のレセプタクルまたは嵌合部材。
【請求項２２】
前記第１の部分は、座面であることを特徴とする請求項１から２１のいずれか一項に記載のレセプタクルまたは嵌合部材。
【請求項２３】
前記嵌合面は、座面であることを特徴とする請求項１から２２のいずれか一項に記載のレセプタクルまたは嵌合部材。
【請求項２４】
前記嵌合部材は、頭部であることを特徴とする請求項１から２３のいずれか一項に記載のレセプタクルまたは嵌合部材。
【請求項２５】
頭部を受け入れるためのカップであって、前記カップは、式
【数１】
2012516744.tif 000001
によって定義される嵌合面を備え、
式中、
ｘは、カップの最大のたわみの方向に対応する方向として定義され、
ｙは、前記カップの前記面に平行で、ｘに垂直な方向であり、
ｚは、ｘとｙの両方に垂直であり、
ａは、ｘ軸に沿った半径であり、
ｂは、ｙ軸に沿った半径であり、
ｃは、ｚ軸に沿った半径であり、
ａ＞ｂかつａ＞ｃであり、
ｉ、ｊ、ｋ、ｌ、ｍ、ｎは、１以上であることを特徴とするカップ。
【請求項２６】
頭部を受け入れるためのカップであって、前記カップは、式
【数２】
2012516744.tif 000002
によって定義される嵌合面を備え、
式中、
ｘは、カップの最大のたわみの方向に対応する方向として定義され、
ｙは、前記カップの前記面に平行で、ｘに垂直な方向であり、
ｚは、ｘとｙの両方に垂直であり、
ａは、ｘ軸に沿った半径であり、
ｂは、ｙ軸に沿った半径であり、
ｃは、ｚ軸に沿った半径であり、
ａ＞ｂかつａ＞ｃであり、
ｂ／ａは、０．９９００から０．９９９８までの範囲内であり、
ｃ／ａは、０．９９００から０．９９９８までの範囲内であり、
ｂ／ｃは、１．０１００から０．９９００までの範囲内であるカップ。
【請求項２７】
ｂ／ａは、０．９９７６０１９１８から０．９９９８までの範囲内であり、
ｃ／ａは、０．９９６５２２７８２から０．９９８９１９５６８までの範囲内であり、
ｂ／ｃは、０．９９９８７９８２２から１．００２２８６１２７までの範囲内であることを特徴とする請求項２６に記載のカップ。
【請求項２８】
前記カップの最大のたわみの方向に対応する前記方向は、前記カップの面に平行で、前記腸骨と座骨との両方を通過する方向にあることを特徴とする請求項２６または２７に記載のカップ。
【請求項２９】
前記方向は、前記下前腸骨棘と前記坐骨結節との間の直線に概ね沿っていることを特徴とする請求項２８に記載のカップ。
【請求項３０】
カップと嵌合する頭部であって、前記頭部は、式
【数３】
2012516744.tif 000003
によって定義される嵌合面を備え、
式中、
ｚは、通常使用時に、前記頭部が取り付けられた前記首部の軸に載るか、または近くにあり、前記カップに向かう方向にあるように定義され、
ｘは、ｚに垂直であり、前記頭部と前記カップとの間の接触点も通過するｚを通る平面に沿って置かれるように定義され、
ｙは、ｘとｚの両方に垂直となるように定義され、
ａは、ｘ軸に沿った半径であり、
ｂは、ｙ軸に沿った半径であり、
ｃは、ｚ軸に沿った半径であり、
ａ＞ｂかつａ＞ｃであり、
ｉ、ｊ、ｋ、ｌ、ｍ、ｎは、１以上であることを特徴とする頭部。